【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】   グローバルネットワークでのプロセスパラメータとプロセスの有効性を監視する方法であって、
（ａ）複数の処理サイトから適用パラメータを受け取る工程と、
（ｂ）予め設定されたインターバルで、前記複数の処理サイトから適用後データを受け取る工程と、
（ｃ）前記適用パラメータと前記適用後データを分析して、将来の適用パラメータのための分析的モデルを求める工程と、
（ｄ）前記グローバルネットワークを介して前記分析的モデルと前記適用後データへのアクセスを可能にする工程と、を備える方法であって、
前記適用パラメータと前記適用後データは、原子炉とそれに関連する発電用要素に金属を適用することに関係するものであり、前記工程（ａ）で受け取る前記適用パラメータは、前記金属の化学的適用のタイミングと、その化学的適用に用いる材料と、その化学的適用の方法のうちの少なくとも１つを含むパラメータであることを特徴とする監視方法。
【請求項２】   前記複数の処理サイトから受け取った前記適用後データと前記適用パラメータに基づいて、前の分析的モデルを更新することによって、工程（ｃ）は実行されることを特徴とする請求項１の方法。
【請求項３】   グローバルネットワークで前記適用後データを受信することによって、工程（ｂ）が実行されることを特徴とする請求項１の方法。
【請求項４】   前記複数の処理サイトから物理的材料をサンプリングすることによって、工程（ｂ）が実行されることを特徴とする請求項１の方法。
【請求項５】   工程（ｂ）は、遠隔で監視するために実時間で実行されることを特徴とする請求項４の方法。
【請求項６】   工程（ｃ）は、サイトタイプ毎に前記適用後データと前記適用パラメータを分離することによって実行されることを特徴とする請求項１の方法。
【請求項７】   サイトタイプ毎に前記適用後データと前記適用パラメータに基づいて適用のタイミングを決定することによって、工程（ｃ）はさらに実行されることを特徴とする請求項６の方法。
適用パラメータ適用後ことを特徴とする請求項（請求項１へ移動）【請求項８】    前記金属は貴金属であることを特徴とする請求項１に記載の方法。
【請求項９】   工程（ｂ）は、原子炉に加えられた金属の存在に関連するデータを受け取ることによって実行されることを特徴とする請求項８の方法。
【請求項１０】   工程（ｂ）は、遠隔で監視するために実時間でさらに実行されることを特徴とする請求項９の方法。
【請求項１１】   実時間の監視は、前記原子炉に加えられた別の金属に対して実行されることを特徴とする請求項１０の方法。
【請求項１２】   前記適用パラメータと前記適用後データのデータアーカイブへのアクセスを可能にする工程をさらに備えることを特徴とする請求項１の方法。
【請求項１３】   工程（ｃ）はコンサルティングのために実時間で実行されることを特徴とする請求項１の方法。
【請求項１４】   原子炉とそれに関連する発電要素への貴金属の適用を処理する方法であって、請求項１に基づいて決定された分析的モデルをアクセスする工程を備えることを特徴とする処理方法。
【請求項１５】   プロセスパラメータとプロセスの有効性を監視するコンピュータシステムであって、複数の処理サイトから適用パラメータと適用後データのエントリに影響を与えるコンピュータプログラムを実行させる少なくとも１台のユーザコンピュータと、サーバプログラムを実行するシステムサーバとを備え、
前記少なくとも１台のユーザコンピュータと前記システムサーバは、コンピュータネットワークによって接続され、前記システムサーバは、前記サーバプログラムに基づいて前記適用パラメータと前記適用後データを分析して、将来の適用パラメータのための分析的モデルを決定し、且つ前記分析的モデルへのアクセスを可能にしており、
前記適用パラメータと前記適用後データは、原子炉とそれに関連する発電用要素に金属を適用することに関係するものであり、前記適用パラメータは、前記金属の化学的適用のタイミングと、その化学的適用に用いる材料と、その化学的適用の方法のうちの少なくとも１つを含むことを特徴とするコンピュータシステム。
【請求項１６】   グローバルネットワークを介してプロセスパラメータとプロセスの有効性を監視するためにコンピュータ読み出し可能媒体に組み込まれたコンピュータプログラムであって、
前記グローバルネットワーク上の複数の処理サイトから適用パラメータを受け取る手段と、
前もって設定された時間インターバルで前記複数の処理サイトから適用後データを受け取る手段と、
前記適用パラメータと前記適用後データを分析して、将来の適用パラメータに対する分析的モデルを決定する手段と、
前記グローバルネットワークを介して前記分析的モデルをアクセスすることを可能にする手段と、を備えるコンピュータプログラムであって、
前記適用パラメータと前記適用後データは、原子炉とそれに関連する発電用要素に金属を適用することに関係するものであり、前記工程（ａ）で受け取る前記適用パラメータは、前記金属の化学的適用のタイミングと、その化学的適用に用いる材料と、その化学的適用の方法のうちの少なくとも１つを含むパラメータであることを特徴とするコンピュータプログラム。
【手続補正２】
【補正対象書類名】明細書
【補正対象項目名】０００２
【補正方法】変更
【補正の内容】
【０００２】
【発明の背景】
沸騰水型原子炉の性能を改善して使用可能な有効寿命を延ばすために、貴金属を含む様々な濃度の化合物を用いて原子炉の内部面を処理する必要がある。水素を化合した貴金属を適用することによって、応力腐食と触媒反応等を発生させる水中の酸化スピーシーズを除去することができる。貴金属を化学的に適用する処理の一例が、米国特許第５４４８６０５号、同第５６０２８８８号、同第５６００６９２号、同第５６０８７６６号、同第５６２５６５６号、同第５６００６９１号、同第５７１９９１１号、同第５７６８３３０号、同第５７７３０９６号で説明されており、その内容全体が本明細書の援用文献である。
【特許文献１】  日本公開特許  Ｈ０２−０９８７１３  １９９０年４月公開
【特許文献２】  日本公開特許  Ｈ０７−１５３６９９  １９９５年６月公開
【特許文献３】  日本公開特許  Ｈ０７−１９８８９３  １９９５年８月公開
【特許文献４】  日本公開特許  Ｈ０７−２０９４８７  １９９５年８月公開
【特許文献５】  日本公開特許  Ｈ０７−３１１２９５  １９９５年１１月公開
【特許文献６】  日本公開特許  Ｈ０７−３１１２９６  １９９５年１１月公開
【特許文献７】  日本公開特許  Ｈ０７−５０７８７０  １９９５年８月公開
【特許文献８】  日本公開特許  Ｈ０８−２２６９９４  １９９６年９月公開
【特許文献９】  日本公開特許  Ｈ０８−３２７７８６  １９９６年１２月公開
【特許文献１０】  日本公開特許  Ｈ０９−０１５３８２  １９９７年１月公開
【特許文献１１】  日本公開特許  Ｈ０９−５０２５３３  １９９７年３月公開
【特許文献１２】  日本公開特許  Ｈ１０１９７６８４  １９９８年７月公開
【特許文献１３】  日本公開特許  Ｈ１１５０３８３４  １９９９年３月公開
【特許文献１４】  日本公開特許  ２００１−５１４０７５  ２００１年９月公開
【特許文献１５】  日本公開特許  ２００５−２０７７２４  ２００５年８月公開
【特許文献１６】  米国発行特許  ５１２６７２９   １９９２年６月公開
【特許文献１７】  米国発行特許  ５４４８６０５   １９９５年９月公開
【特許文献１８】  米国発行特許  ５５０４６９２   １９９６年４月公開
【特許文献１９】  米国発行特許  ５５２１８１４   １９９６年５月公開
【特許文献２０】  米国発行特許  ５５９００５１   １９９６年１２月公開
【特許文献２１】  米国発行特許  ５６００６９１   １９９７年２月公開
【特許文献２２】  米国発行特許  ５６００６９２   １９９７年２月公開
【特許文献２３】  米国発行特許  ５６０２８８８   １９９７年２月公開
【特許文献２４】  米国発行特許  ５６０８７６６   １９９７年３月公開
【特許文献２５】  米国発行特許  ５６２５６５６   １９９７年４月公開
【特許文献２６】  米国発行特許  ５７１９９１１   １９９８年２月公開
【特許文献２７】  米国発行特許  ５７２４２５４   １９９８年３月公開
【特許文献２８】  米国発行特許  ５７６８３３０   １９９８年６月公開
【特許文献２９】  米国発行特許  ５７７３０９６   １９９８年６月公開
【特許文献３０】  米国発行特許  ５８０５６５３   １９９８年９月公開
【特許文献３１】  米国発行特許  ５８３２４１１   １９９８年１１月公開
【特許文献３２】  米国発行特許  ５８５５７９１   １９９９年１月公開
【特許文献３３】  米国発行特許  ５９６６６８３   １９９９年１０月公開
【手続補正３】
【補正対象書類名】明細書
【補正対象項目名】０００４
【補正方法】変更
【補正の内容】
【０００４】
適用パラメータと適用後(post-application)データの分析を行う現状の方法では、手動やバッチで作成される技術レポートとデータを送ることが必要である。結論として、対話的に評価書を作成するためには時間がかかり非効率となる。さらに、この手続では、一つのタイムスパンで過去と未来の評価を実行する能力を限定する。さらに、データのアクセスと利用は限られた数の専門家に限定されている。正確に評価するには、様々な入力情報を利用することが必要であったり、別の学問分野の専門家達による業務が必要である。また、ユーザは、その他のプラント、もしくは、他のタイムフレームで性能を比較することができない。
【手続補正４】
【補正対象書類名】明細書
【補正対象項目名】０００５
【補正方法】変更
【補正の内容】
【０００５】
【発明の概要】
本発明の模範的な実施形態では、グローバルネットワークでのプロセスパラメータとプロセスの有効性を監視する方法は、（ａ）複数の処理サイトから適用パラメータを受け取る工程と、（ｂ）予め設定されたインターバルで、複数の処理サイトから適用後データを受け取る工程と、（ｃ）適用パラメータと適用後データを分析して、将来の適用パラメータのための分析的モデルを求める工程と、（ｄ）グローバルネットワークを介して分析的モデルと適用後データへのアクセスを可能にする工程とを含む。前記分析する工程は、複数の処理サイトから受け取った適用後データと適用パラメータに基づいて、前の分析的モデルを更新することを含む。適用後データは、グローバルネットワークを介して受信することができ、もしくは、複数の処理サイトから物理的材料をサンプリングすることによって受信することができ、もしくは、その両方によって受信することができる。遠隔で監視するためにデータを実時間受信することができる。サイトの種類毎に適用パラメータと適用後データを分離するのが好ましい。尚、サイトの種類（タイプ）毎に適用パラメータと適用後データに基づいて適用のタイミングが決定される。
【手続補正５】
【補正対象書類名】明細書
【補正対象項目名】０００６
【補正方法】変更
【補正の内容】
【０００６】
一実施形態では、適用パラメータと適用後データは、沸騰水型原子炉に貴金属を適用することに関係する。この状況では、受け取った適用パラメータには、化学的に適用するタイミングと、化学的に適用する材料と、化学的適用方法のうちの少なくとも１つが含まれる。この状況では、適用後データは、経過時間経過に伴って、保護された沸騰水型原子炉の表面上の金属の存在に関する。また、本方法は、適用パラメータと適用後データのデータアーカイブのアクセスを可能にする工程を含む。さらに、コンサルティングのために上記の工程（ｃ）を実時間で実行することができる。
【手続補正６】
【補正対象書類名】明細書
【補正対象項目名】０００７
【補正方法】変更
【補正の内容】
【０００７】
本発明の別の模範的な実施形態のプロセスパラメータとプロセスの有効性を監視するコンピュータシステムには、複数の処理サイトのための適用パラメータと適用後データのエントリに影響を与えるコンピュータプログラムを実行させる少なくとも１台のユーザコンピュータが含まれる。システムサーバは、サーバプログラムを実行する。尚、ユーザコンピュータとシステムサーバはコンピュータネットワークによって接続される。システムサーバは、サーバプログラムに基づいて適用パラメータと適用後データを分析し、将来の適用パラメータのための分析的モデルを決定する。また、サーバは、分析的モデルへのアクセスを可能にする。
【手続補正７】
【補正対象書類名】明細書
【補正対象項目名】００２５
【補正方法】変更
【補正の内容】
【００２５】
図１と図２を参照して、沸騰水型原子炉の内部面に新しい金属を「適用」した場合で、本発明を説明することができる。しかしながら、この適用は模範的な例であって、適用プロセスパラメータ等を求めるためにグローバルにコンパイルされたフィールドデータを用いるアプリケーションに本発明を適用することができる。従って、その適用は、本明細書にて具体的に説明された適用に限定されることはない。
【手続補正８】
【補正対象書類名】明細書
【補正対象項目名】００２６
【補正方法】変更
【補正の内容】
【００２６】
原子炉の停止中に、上述の米国特許で説明された原子炉の内部面に新しい金属を適用することが望ましい。その適用は反応のための触媒として作用し、応力腐食を起こす酸化スピーシーズを除去する等として機能する。本発明のシステムを利用して、ユーザは、適用パラメータと適用後データに関連する情報を記憶するサーバのデータベースをアクセスできる。ユーザはこのデータや、データから得られた分析的モデルを利用することによって、ユーザプロセスを効率的にし、適切な適用のタイミングによって適用の恩恵を最大にすることができる。
【手続補正９】
【補正対象書類名】明細書
【補正対象項目名】００２７
【補正方法】変更
【補正の内容】
【００２７】
図１は、本発明のシステムのフロー図である。ユーザ、即ち、顧客は、アクセスコンピュータ、即ち、ポータル１０を用い、インターネット等のグローバルネットワークを介してサプライヤのインターネットサイト１２や同様の情報源をアクセスする。インターネットサイト１２を介して、ユーザは、工学的研究と分析的モデルと評価能力情報へのリンク１４をアクセスできる。グローバルネットワークを介して多数の処理サイトから受け取った適用パラメータと、予め設定された時間インターバルで多数の処理サイトから受けた適用後データから特定の研究とモデルと評価能力の情報が生成される。一般的に、グローバルにコンパイルされたフィールドデータを用いて、本明細書における適用はプロセスパラメータとその効率を監視するものであるので、特定の調査とモデルと評価性能についてさらに説明するものではない。原子炉に新しい金属を適用するための処理パラメータに関する本例では、リンク１６での様々なプラントデザインに対してサイトの種類毎に適用パラメータと適用後データが分離される。化学的性質の評価等へのリンクをもつ前履歴性能データベースがリンク１８でアクセスされ、新しい金属を適用したときの寿命と再適用時間等を求める特殊な計算の結果をリンク２０を介してアクセスすることができる。エキスパートやコンサルタントのアドバイスや分析などのフィードバックをリンク２１を介してアクセスできる。従って、サプライヤ、即ち、サーバサイト１２を介して組織され、分析され、さもなくば処理され、その他のユーザからアクセスできるグローバルにコンパイルされたフィールドデータをユーザはアクセスすることができる。同様に、リンク領域１６，１８，２０，２１には、ドロップダウンメニュー等が含まれているので、ユーザの適用パラメータと適用後データに関連するデータをユーザが入力する際に影響を与える。
【手続補正１０】
【補正対象書類名】明細書
【補正対象項目名】００２８
【補正方法】変更
【補正の内容】
【００２８】
ここで説明される模範的な適用では、新しい金属の適用プロセスに関する情報をリンク２２経由でアクセスすることができ、また、適用とプラントオペレーション中の特定の化学的データをリンク２４を介してアクセスすることができる。例えば、このデータには、適用後の新しい金属の過渡状態のふるまいを求めるために特に役に立つ電気化学ポテンシャル（ＥＣＰ）に対するテストとｐＨと、伝導度と、イオンスピーシーズの濃度と、新しい金属の装填データと、新しい金属の注入レートと、温度と、プラチナ（Ｐｔ）とロジウム（Ｒｈ）の存在に対するテストとサンプリング結果が含まれていてもよい。言及されたように、そのデータを用いて適用プロセスが修正されるだけでなく、原子炉の表面を監視して、適切な適用時間を求めることができる。サイト上のテスト材料とシステム等を用いて、ユーザからリンク１６，１８，２０を介して適用後データを受け取ることができる。さらに、または、別の方法で、サーバ、即ち、サプライヤはサプライヤ側で化学的分析を行うために多数の処理サイトから物理的材料を受け取ることができる。リンク１４での工学的研究と分析的モデルと評価能力にとって、リンク２４を介して入力されるデータは有益である。
【手続補正１１】
【補正対象書類名】明細書
【補正対象項目名】００２９
【補正方法】変更
【補正の内容】
【００２９】
図２ａ，２ｂ，２ｃは、利用可能な情報に対するリンクと情報入力領域と、経過時間に対する様々な材料のイオン濃度（図２ａ）を示すサンプル出力グラフを示す模範的なスクリーンの複数のショットであって、時間対注入レートの変化を示し（図２ｂ）、また、注入プロセス中の時間対温度変化を示す（図２ｃ）。これらの図は、高速プロセスの変化を監視するためのグローバルネットワークの利用について示す。データアーカイブセクション２６では、ユーザは保管された適用パラメータとデータと多数の処理サイトからの適用後データとプラント経験情報と適用プロセスと分析的モデル等に対する最新の更新情報を見ることができる。対話的リンク２８を介して、ユーザは新しい金属の適用に関するデータをダウンロードし入力することができる。その上、ユーザはフィールドデータを即座に見たり分析することができる実時間エキスパートを（リンク２１を介して）アクセスすることができる。エキスパートは、温度を変えたり、注入パラメータを変えてプロセスを改善するようにアドバイスすることができる。このことは重要である。何故ならば、適用プロセス全体は約４８時間で完了するからである。さらに、もし多数の適用が進行中なら、１つのプラントから獲得された情報を、その他のプラントに急速に広めることができる。オンラインリアルタイムによる遠隔監視を行って、亜鉛やクロムやニッケルやチタンやジルコニウムやバナジウムやタングステンや錫やマグネシウムやアルミニウムやモリブデンやタンタル等の他の金属を追加するために特に役に立つプロセスを追跡することができる。